(57)【要約】【課題】  見たい番組が重なっている時の裏番組の見逃しを防ぐ端末装置を実現する。【解決手段】  “見たい番組”の「日時」、「チャンネル番号」および「優先順位」から構成される登録番組データを予め登録しておき、現時刻に一致する「日時」の該当番組データ（複数存在する場合は最も優先順位の高い該当番組データ）が検索されると、“見たい番組”に切り換えるかどうかをユーザに尋ねるポップアップ画面ＰＵを表示し、これに応じてＹＥＳ対応スイッチをオン操作すると、視聴していた番組を“見たい番組”に切り換えると同時に、その視聴していた番組を自動的に録画する。一方、ＮＯ対応スイッチをオン操作すると、視聴していた番組をそのまま継続して視聴させ、“見たい番組”を自動的に録画する。【選択図】  図６
2005311935.tif 000002
【特許請求の範囲】
【請求項１】
放送を受信する第１の放送受信手段と、
見たい番組の放送日時およびチャンネルを表す番組データを記憶手段に登録しておき、記憶手段に登録された番組データの中から放送日時が現時刻に一致した該当番組データを検索する検索手段と、
前記検索手段が該当番組データを検索した時に、その該当番組データのチャンネルと異なるチャンネルの放送を前記第１の放送受信手段が受信している場合に、前記第１の放送受信手段が受信しているチャンネルで放送受信を開始する第２の放送受信手段と、
前記第２の放送受信手段が放送受信を開始すると同時に、前記第１の放送受信手段に該当番組データのチャンネルで放送受信するよう指示するチャンネル変更指示手段と、
前記第２の放送受信手段の受信開始に応じて、その受信出力の録画を開始する録画手段と
を具備することを特徴とする端末装置。
【請求項２】
放送を受信する第１の放送受信手段と、
見たい番組の放送日時およびチャンネルを表す番組データを記憶手段に登録しておき、記憶手段に登録された番組データの中から放送日時が現時刻に一致する該当番組データを検索する検索手段と、
前記検索手段が該当番組データを検索した時に、その該当番組データのチャンネルと異なるチャンネルの放送を前記第１の放送受信手段が受信している場合に、該当番組データのチャンネルで放送受信を開始する第２の放送受信手段と、
前記第２の放送受信手段の受信開始に応じて、その受信出力の録画を開始する録画手段と
を具備することを特徴とする端末装置。
【請求項３】
放送を受信する第１および第２の放送受信手段と、
受信開始指示に応じて放送を受信する第２の放送受信手段と、
見たい番組の放送日時およびチャンネルを表す番組データを記憶手段に登録しておき、記憶手段に登録された番組データの中から現時刻が放送日時に一致した該当番組データを検索する検索手段と、
前記検索手段が該当番組データを検索した時に、その該当番組データのチャンネルと異なるチャンネルの放送を前記第１の放送受信手段が受信している場合に、該当番組データが指定する見たい番組に切り換えるか否かを指示する指示手段と、
前記指示手段が見たい番組に切換える旨を指示した場合、前記第１の放送受信手段が受信しているチャンネルで受信開始するよう前記第２の放送受信手段に指示する第１の受信開始指示手段と、
前記第２の放送受信手段が放送受信を開始すると同時に、前記第１の放送受信手段に該当番組データのチャンネルで放送受信するよう指示するチャンネル変更指示手段と、
前記切換指示手段が見たい番組に切換えない旨を指示した場合、該当番組データのチャンネルで受信開始するよう前記第２の放送受信手段に指示する第２の受信開始指示手段と、
前記第２の放送受信手段の受信開始に応じて、その受信出力の録画を開始する録画手段と
を具備することを特徴とする端末装置。
【請求項４】
前記検索手段は、見たい番組の放送日時、チャンネルおよび優先順位を表す番組データを記憶手段に登録しておき、記憶手段に登録された番組データの中から現時刻が放送日時に一致するものを複数検索した場合、その内で最も優先順位の高いものを該当番組データとして選択することを特徴とする請求項１乃至３のいずれかに記載の端末装置。
【請求項５】
放送を受信する第１の放送受信手段と、
第１の受信態様を指示された時に指定されたチャンネルの放送を受信し、第２の受信態様を指示された時に前記第１の放送受信手段の受信チャンネルを除く他のチャンネルの文字放送を巡回受信する第２の放送受信手段と、
見たい番組の内容を表すキーワードを記憶手段に登録する登録手段と、
前記第２の放送受信手段に第２の受信態様を指示し、これに応じて前記第２の放送受信手段が巡回受信中に文字放送から得た文字データと前記キーワードとが一致した場合に、前記第２の放送受信手段に第１の受信態様を指示して前記第１の放送受信手段が受信しているチャンネルで放送を受信させる一方、前記キーワードに一致した文字データを含む文字放送を前記第２の放送受信手段が受信した時のチャンネルを受信するよう前記第１の放送受信手段に指示する受信態様制御手段と、
第２の受信態様から第１の受信態様に変更された時に前記第２の放送受信手段の受信出力の録画を開始する録画手段と
を具備することを特徴とする端末装置。
【請求項６】
放送を受信する第１の放送受信手段と、
第１の受信態様を指示された時に指定されたチャンネルの放送を受信し、第２の受信態様を指示された時に前記第１の放送受信手段の受信チャンネルを除く他のチャンネルの文字放送を巡回受信する第２の放送受信手段と、
見たい番組の内容を表すキーワードを記憶手段に登録する登録手段と、
前記第２の放送受信手段に第２の受信態様を指示し、これに応じて前記第２の放送受信手段が巡回受信中に文字放送から得た文字データと前記キーワードとが一致した場合に、前記第２の放送受信手段に第１の受信態様を指示する受信態様制御手段と、
第２の受信態様から第１の受信態様に変更された時に前記第２の放送受信手段の受信出力の録画を開始する録画手段と
を具備することを特徴とする端末装置。
【請求項７】
放送を受信する第１の放送受信手段と、
第１の受信態様を指示された時に指定されたチャンネルの放送を受信し、第２の受信態様を指示された時に前記第１の放送受信手段の受信チャンネルを除く他のチャンネルの文字放送を巡回受信する第２の放送受信手段と、
見たい番組の内容を表すキーワードを記憶手段に登録する登録手段と、
前記第２の放送受信手段に第２の受信態様を指示し、これに応じて前記第２の放送受信手段が巡回受信中に文字放送から得た文字データと前記キーワードとが一致した場合に、そのキーワードで表される内容の見たい番組に切り換えるか否かを指示する指示手段と、
前記指示手段が見たい番組に切換える旨を指示した場合、前記第２の放送受信手段に第１の受信態様を指示して前記第１の放送受信手段が受信しているチャンネルで放送を受信させる一方、前記キーワードに一致した文字データを含む文字放送を前記第２の放送受信手段が受信した時のチャンネルを受信するよう前記第１の放送受信手段に指示する第１の受信態様制御手段と、
前記切換指示手段が見たい番組に切換えない旨を指示した場合、前記第２の放送受信手段に第１の受信態様を指示する第２の受信態様制御手段と、
第２の受信態様から第１の受信態様に変更された時に前記第２の放送受信手段の受信出力の録画を開始する録画手段と
を具備することを特徴とする端末装置。
【請求項８】
放送を受信する第１の放送受信処理と、
見たい番組の放送日時およびチャンネルを表す番組データをメモリ登録しておき、メモリ登録された番組データの中から放送日時が現時刻に一致した該当番組データを検索する検索処理と、
前記検索処理が該当番組データを検索した時に、その該当番組データのチャンネルと異なるチャンネルの放送を前記第１の放送受信処理で受信している場合に、前記第１の放送受信処理が受信しているチャンネルで放送受信を開始する第２の放送受信処理と、
前記第２の放送受信処理が放送受信を開始すると同時に、前記第１の放送受信処理に該当番組データのチャンネルで放送受信するよう指示するチャンネル変更指示処理と、
前記第２の放送受信処理の受信開始に応じて、その受信出力の録画を開始する録画処理と
をコンピュータで実行させることを特徴とする端末処理プログラム。
【請求項９】
放送を受信する第１の放送受信処理と、
見たい番組の放送日時およびチャンネルを表す番組データをメモリ登録しておき、メモリ登録された番組データの中から放送日時が現時刻に一致する該当番組データを検索する検索処理と、
前記検索処理が該当番組データを検索した時に、その該当番組データのチャンネルと異なるチャンネルの放送を前記第１の放送受信処理が受信している場合に、該当番組データのチャンネルで放送受信を開始する第２の放送受信処理と、
前記第２の放送受信処理の受信開始に応じて、その受信出力の録画を開始する録画処理と
をコンピュータで実行させることを特徴とする端末処理プログラム。
【請求項１０】
放送を受信する第１の放送受信処理と、
受信開始指示に応じて放送を受信する第２の放送受信処理と、
見たい番組の放送日時およびチャンネルを表す番組データをメモリ登録しておき、メモリ登録された番組データの中から現時刻が放送日時に一致した該当番組データを検索する検索処理と、
前記検索処理が該当番組データを検索した時に、その該当番組データのチャンネルと異なるチャンネルの放送を前記第１の放送受信処理が受信している場合に、該当番組データが指定する見たい番組に切り換えるか否かを指示する指示処理と、
前記指示処理が見たい番組に切換える旨を指示した場合、前記第１の放送受信処理が受信しているチャンネルで受信開始するよう前記第２の放送受信処理に指示する第１の受信開始指示処理と、
前記第２の放送受信処理が放送受信を開始すると同時に、前記第１の放送受信処理に該当番組データのチャンネルで放送受信するよう指示するチャンネル変更指示処理と、
前記切換指示処理が見たい番組に切換えない旨を指示した場合、該当番組データのチャンネルで受信開始するよう前記第２の放送受信処理に指示する第２の受信開始指示処理と、
前記第２の放送受信処理の受信開始に応じて、その受信出力の録画を開始する録画処理と
をコンピュータで実行させることを特徴とする端末処理プログラム。
【請求項１１】
前記検索処理は、見たい番組の放送日時、チャンネルおよび優先順位を表す番組データをメモリ登録しておき、メモリ登録された番組データの中から現時刻が放送日時に一致するものを複数検索した場合、その内で最も優先順位の高いものを該当番組データとして選択することを特徴とする請求項８乃至１０のいずれかに記載の端末処理プログラム。
【請求項１２】
放送を受信する第１の放送受信処理と、
第１の受信態様を指示された時に指定されたチャンネルの放送を受信し、第２の受信態様を指示された時に前記第１の放送受信処理が受信するチャンネルを除く他のチャンネルの文字放送を巡回受信する第２の放送受信処理と、
見たい番組の内容を表すキーワードをメモリ登録する登録処理と、
前記第２の放送受信処理に第２の受信態様を指示し、これに応じて前記第２の放送受信処理が巡回受信中に文字放送から得た文字データと前記キーワードとが一致した場合に、前記第２の放送受信処理に第１の受信態様を指示して前記第１の放送受信処理が受信しているチャンネルで放送を受信させる一方、前記キーワードに一致した文字データを含む文字放送を前記第２の放送受信処理が受信した時のチャンネルを受信するよう前記第１の放送受信処理に指示する受信態様制御処理と、
第２の受信態様から第１の受信態様に変更された時に前記第２の放送受信処理による受信出力の録画を開始する録画処理と
をコンピュータで実行させることを特徴とする端末処理プログラム。
【請求項１３】
放送を受信する第１の放送受信処理と、
第１の受信態様を指示された時に指定されたチャンネルの放送を受信し、第２の受信態様を指示された時に前記第１の放送受信処理が受信するチャンネルを除く他のチャンネルの文字放送を巡回受信する第２の放送受信処理と、
見たい番組の内容を表すキーワードをメモリ登録する登録処理と、
前記第２の放送受信処理に第２の受信態様を指示し、これに応じて前記第２の放送受信処理が巡回受信中に文字放送から得た文字データと前記キーワードとが一致した場合に、前記第２の放送受信処理に第１の受信態様を指示する受信態様制御処理と、
第２の受信態様から第１の受信態様に変更された時に前記第２の放送受信処理による受信出力の録画を開始する録画処理と
をコンピュータで実行させることを特徴とする端末処理プログラム。
【請求項１４】
放送を受信する第１の放送受信処理と、
第１の受信態様を指示された時に指定されたチャンネルの放送を受信し、第２の受信態様を指示された時に前記第１の放送受信処理が受信するチャンネルを除く他のチャンネルの文字放送を巡回受信する第２の放送受信処理と、
見たい番組の内容を表すキーワードをメモリ登録する登録処理と、
前記第２の放送受信処理に第２の受信態様を指示し、これに応じて前記第２の放送受信処理が巡回受信中に文字放送から得た文字データと前記キーワードとが一致した場合に、そのキーワードで表される内容の見たい番組に切り換えるか否かを指示する指示処理と、
前記指示処理が見たい番組に切換える旨を指示した場合、前記第２の放送受信処理に第１の受信態様を指示して前記第１の放送受信処理が受信しているチャンネルで放送を受信させる一方、前記キーワードに一致した文字データを含む文字放送を前記第２の放送受信処理が受信した時のチャンネルを受信するよう前記第１の放送受信処理に指示する第１の受信態様制御処理と、
前記切換指示処理が見たい番組に切換えない旨を指示した場合、前記第２の放送受信処理に第１の受信態様を指示する第２の受信態様制御処理と、
第２の受信態様から第１の受信態様に変更された時に前記第２の放送受信処理による受信出力の録画を開始する録画処理と
をコンピュータで実行させることを特徴とする端末処理プログラム。
【発明の詳細な説明】
【技術分野】
【０００１】
本発明は、放送を受信する機能を備えた端末装置および端末処理プログラムに関する。
【背景技術】
【０００２】
地上デジタルテレビ放送では、１チャンネル当り約６ＭＨｚの伝送帯域幅を１３のセグメント（ＯＦＤＭセグメント）に分割し、その中央の１セグメントに移動受信用に割当てており、近年、そのセグメントで放送される番組を受信する機能を搭載した携帯電話などの端末装置が開発されている。この種の装置として、例えば特許文献１には、番組視聴処理中に携帯電話部で着信が生じて通話を開始した場合、視聴中の番組の符号化映像・音声データをＳＤＲＡＭに録画する処理を開始し、通話が終了すると、録画処理を続けながら、ＳＤＲＡＭから通話開始時点の符号化映像・音声データを読み出して追いかけ再生するものが開示されている。
【０００３】
【特許文献１】特開２００３−１１１００４号公報
【発明の開示】
【発明が解決しようとする課題】
【０００４】
ところで、上記特許文献１に開示の装置は、着信時に番組視聴を中断して番組録画に移行する構成なので、見たい番組が重なっていると、一方の番組だけしか視聴できず、他方の番組（裏番組）を見逃してしまうという問題が生じる。
そこで本発明は、このような事情に鑑みてなされたもので、見たい番組が重なっていても裏番組の見逃しを防ぐことができる端末装置および端末処理プログラムを提供することを目的としている。
【課題を解決するための手段】
【０００５】
上記目的を達成するため、請求項１に記載の発明では、放送を受信する第１の放送受信手段と、見たい番組の放送日時およびチャンネルを表す番組データを記憶手段に登録しておき、記憶手段に登録された番組データの中から放送日時が現時刻に一致した該当番組データを検索する検索手段と、前記検索手段が該当番組データを検索した時に、その該当番組データのチャンネルと異なるチャンネルの放送を前記第１の放送受信手段が受信している場合に、前記第１の放送受信手段が受信しているチャンネルで放送受信を開始する第２の放送受信手段と、前記第２の放送受信手段が放送受信を開始すると同時に、前記第１の放送受信手段に該当番組データのチャンネルで放送受信するよう指示するチャンネル変更指示手段と、前記第２の放送受信手段の受信開始に応じて、その受信出力の録画を開始する録画手段とを具備することを特徴とする。
【０００６】
請求項２に記載の発明では、放送を受信する第１の放送受信手段と、見たい番組の放送日時およびチャンネルを表す番組データを記憶手段に登録しておき、記憶手段に登録された番組データの中から放送日時が現時刻に一致する該当番組データを検索する検索手段と、前記検索手段が該当番組データを検索した時に、その該当番組データのチャンネルと異なるチャンネルの放送を前記第１の放送受信手段が受信している場合に、該当番組データのチャンネルで放送受信を開始する第２の放送受信手段と、前記第２の放送受信手段の受信開始に応じて、その受信出力の録画を開始する録画手段とを具備することを特徴とする。
【０００７】
請求項３に記載の発明では、放送を受信する第１および第２の放送受信手段と、受信開始指示に応じて放送を受信する第２の放送受信手段と、見たい番組の放送日時およびチャンネルを表す番組データを記憶手段に登録しておき、記憶手段に登録された番組データの中から現時刻が放送日時に一致した該当番組データを検索する検索手段と、前記検索手段が該当番組データを検索した時に、その該当番組データのチャンネルと異なるチャンネルの放送を前記第１の放送受信手段が受信している場合に、該当番組データが指定する見たい番組に切り換えるか否かを指示する指示手段と、前記指示手段が見たい番組に切換える旨を指示した場合、前記第１の放送受信手段が受信しているチャンネルで受信開始するよう前記第２の放送受信手段に指示する第１の受信開始指示手段と、前記第２の放送受信手段が放送受信を開始すると同時に、前記第１の放送受信手段に該当番組データのチャンネルで放送受信するよう指示するチャンネル変更指示手段と、前記切換指示手段が見たい番組に切換えない旨を指示した場合、該当番組データのチャンネルで受信開始するよう前記第２の放送受信手段に指示する第２の受信開始指示手段と、前記第２の放送受信手段の受信開始に応じて、その受信出力の録画を開始する録画手段とを具備することを特徴とする。
【０００８】
上記請求項１乃至３のいずれかに従属する請求項４に記載の発明では、前記検索手段は、見たい番組の放送日時、チャンネルおよび優先順位を表す番組データを記憶手段に登録しておき、記憶手段に登録された番組データの中から現時刻が放送日時に一致するものを複数検索した場合、その内で最も優先順位の高いものを該当番組データとして選択することを特徴とする。
【０００９】
請求項５に記載の発明では、放送を受信する第１の放送受信手段と、第１の受信態様を指示された時に指定されたチャンネルの放送を受信し、第２の受信態様を指示された時に前記第１の放送受信手段の受信チャンネルを除く他のチャンネルの文字放送を巡回受信する第２の放送受信手段と、見たい番組の内容を表すキーワードを記憶手段に登録する登録手段と、前記第２の放送受信手段に第２の受信態様を指示し、これに応じて前記第２の放送受信手段が巡回受信中に文字放送から得た文字データと前記キーワードとが一致した場合に、前記第２の放送受信手段に第１の受信態様を指示して前記第１の放送受信手段が受信しているチャンネルで放送を受信させる一方、前記キーワードに一致した文字データを含む文字放送を前記第２の放送受信手段が受信した時のチャンネルを受信するよう前記第１の放送受信手段に指示する受信態様制御手段と、第２の受信態様から第１の受信態様に変更された時に前記第２の放送受信手段の受信出力の録画を開始する録画手段とを具備することを特徴とする。
【００１０】
請求項６に記載の発明では、放送を受信する第１の放送受信手段と、第１の受信態様を指示された時に指定されたチャンネルの放送を受信し、第２の受信態様を指示された時に前記第１の放送受信手段の受信チャンネルを除く他のチャンネルの文字放送を巡回受信する第２の放送受信手段と、見たい番組の内容を表すキーワードを記憶手段に登録する登録手段と、前記第２の放送受信手段に第２の受信態様を指示し、これに応じて前記第２の放送受信手段が巡回受信中に文字放送から得た文字データと前記キーワードとが一致した場合に、前記第２の放送受信手段に第１の受信態様を指示する受信態様制御手段と、第２の受信態様から第１の受信態様に変更された時に前記第２の放送受信手段の受信出力の録画を開始する録画手段とを具備することを特徴とする。
【００１１】
請求項７に記載の発明では、放送を受信する第１の放送受信手段と、第１の受信態様を指示された時に指定されたチャンネルの放送を受信し、第２の受信態様を指示された時に前記第１の放送受信手段の受信チャンネルを除く他のチャンネルの文字放送を巡回受信する第２の放送受信手段と、見たい番組の内容を表すキーワードを記憶手段に登録する登録手段と、前記第２の放送受信手段に第２の受信態様を指示し、これに応じて前記第２の放送受信手段が巡回受信中に文字放送から得た文字データと前記キーワードとが一致した場合に、そのキーワードで表される内容の見たい番組に切り換えるか否かを指示する指示手段と、前記指示手段が見たい番組に切換える旨を指示した場合、前記第２の放送受信手段に第１の受信態様を指示して前記第１の放送受信手段が受信しているチャンネルで放送を受信させる一方、前記キーワードに一致した文字データを含む文字放送を前記第２の放送受信手段が受信した時のチャンネルを受信するよう前記第１の放送受信手段に指示する第１の受信態様制御手段と、前記切換指示手段が見たい番組に切換えない旨を指示した場合、前記第２の放送受信手段に第１の受信態様を指示する第２の受信態様制御手段と、第２の受信態様から第１の受信態様に変更された時に前記第２の放送受信手段の受信出力の録画を開始する録画手段とを具備することを特徴とする。
【００１２】
請求項８に記載の発明では、放送を受信する第１の放送受信処理と、見たい番組の放送日時およびチャンネルを表す番組データをメモリ登録しておき、メモリ登録された番組データの中から放送日時が現時刻に一致した該当番組データを検索する検索処理と、前記検索処理が該当番組データを検索した時に、その該当番組データのチャンネルと異なるチャンネルの放送を前記第１の放送受信処理で受信している場合に、前記第１の放送受信処理が受信しているチャンネルで放送受信を開始する第２の放送受信処理と、前記第２の放送受信処理が放送受信を開始すると同時に、前記第１の放送受信処理に該当番組データのチャンネルで放送受信するよう指示するチャンネル変更指示処理と、前記第２の放送受信処理の受信開始に応じて、その受信出力の録画を開始する録画処理とをコンピュータで実行させることを特徴とする。
【００１３】
請求項９に記載の発明では、放送を受信する第１の放送受信処理と、見たい番組の放送日時およびチャンネルを表す番組データをメモリ登録しておき、メモリ登録された番組データの中から放送日時が現時刻に一致する該当番組データを検索する検索処理と、前記検索処理が該当番組データを検索した時に、その該当番組データのチャンネルと異なるチャンネルの放送を前記第１の放送受信処理が受信している場合に、該当番組データのチャンネルで放送受信を開始する第２の放送受信処理と、前記第２の放送受信処理の受信開始に応じて、その受信出力の録画を開始する録画処理とをコンピュータで実行させることを特徴とする。
【００１４】
請求項１０に記載の発明では、放送を受信する第１の放送受信処理と、受信開始指示に応じて放送を受信する第２の放送受信処理と、見たい番組の放送日時およびチャンネルを表す番組データをメモリ登録しておき、メモリ登録された番組データの中から現時刻が放送日時に一致した該当番組データを検索する検索処理と、前記検索処理が該当番組データを検索した時に、その該当番組データのチャンネルと異なるチャンネルの放送を前記第１の放送受信処理が受信している場合に、該当番組データが指定する見たい番組に切り換えるか否かを指示する指示処理と、前記指示処理が見たい番組に切換える旨を指示した場合、前記第１の放送受信処理が受信しているチャンネルで受信開始するよう前記第２の放送受信処理に指示する第１の受信開始指示処理と、前記第２の放送受信処理が放送受信を開始すると同時に、前記第１の放送受信処理に該当番組データのチャンネルで放送受信するよう指示するチャンネル変更指示処理と、前記切換指示処理が見たい番組に切換えない旨を指示した場合、該当番組データのチャンネルで受信開始するよう前記第２の放送受信処理に指示する第２の受信開始指示処理と、前記第２の放送受信処理の受信開始に応じて、その受信出力の録画を開始する録画処理とをコンピュータで実行させることを特徴とする。
【００１５】
上記請求項８乃至１０のいずれかに従属する請求項１１に記載の発明では、前記検索処理は、見たい番組の放送日時、チャンネルおよび優先順位を表す番組データをメモリ登録しておき、メモリ登録された番組データの中から現時刻が放送日時に一致するものを複数検索した場合、その内で最も優先順位の高いものを該当番組データとして選択することを特徴とする。
【００１６】
請求項１２に記載の発明では、放送を受信する第１の放送受信処理と、第１の受信態様を指示された時に指定されたチャンネルの放送を受信し、第２の受信態様を指示された時に前記第１の放送受信処理が受信するチャンネルを除く他のチャンネルの文字放送を巡回受信する第２の放送受信処理と、見たい番組の内容を表すキーワードをメモリ登録する登録処理と、前記第２の放送受信処理に第２の受信態様を指示し、これに応じて前記第２の放送受信処理が巡回受信中に文字放送から得た文字データと前記キーワードとが一致した場合に、前記第２の放送受信処理に第１の受信態様を指示して前記第１の放送受信処理が受信しているチャンネルで放送を受信させる一方、前記キーワードに一致した文字データを含む文字放送を前記第２の放送受信処理が受信した時のチャンネルを受信するよう前記第１の放送受信処理に指示する受信態様制御処理と、第２の受信態様から第１の受信態様に変更された時に前記第２の放送受信処理による受信出力の録画を開始する録画処理とをコンピュータで実行させることを特徴とする。
【００１７】
請求項１３に記載の発明では、放送を受信する第１の放送受信処理と、第１の受信態様を指示された時に指定されたチャンネルの放送を受信し、第２の受信態様を指示された時に前記第１の放送受信処理が受信するチャンネルを除く他のチャンネルの文字放送を巡回受信する第２の放送受信処理と、見たい番組の内容を表すキーワードをメモリ登録する登録処理と、前記第２の放送受信処理に第２の受信態様を指示し、これに応じて前記第２の放送受信処理が巡回受信中に文字放送から得た文字データと前記キーワードとが一致した場合に、前記第２の放送受信処理に第１の受信態様を指示する受信態様制御処理と、第２の受信態様から第１の受信態様に変更された時に前記第２の放送受信処理による受信出力の録画を開始する録画処理とをコンピュータで実行させることを特徴とする。
【００１８】
請求項１４に記載の発明では、放送を受信する第１の放送受信処理と、第１の受信態様を指示された時に指定されたチャンネルの放送を受信し、第２の受信態様を指示された時に前記第１の放送受信処理が受信するチャンネルを除く他のチャンネルの文字放送を巡回受信する第２の放送受信処理と、見たい番組の内容を表すキーワードをメモリ登録する登録処理と、前記第２の放送受信処理に第２の受信態様を指示し、これに応じて前記第２の放送受信処理が巡回受信中に文字放送から得た文字データと前記キーワードとが一致した場合に、そのキーワードで表される内容の見たい番組に切り換えるか否かを指示する指示処理と、前記指示処理が見たい番組に切換える旨を指示した場合、前記第２の放送受信処理に第１の受信態様を指示して前記第１の放送受信処理が受信しているチャンネルで放送を受信させる一方、前記キーワードに一致した文字データを含む文字放送を前記第２の放送受信処理が受信した時のチャンネルを受信するよう前記第１の放送受信処理に指示する第１の受信態様制御処理と、前記切換指示処理が見たい番組に切換えない旨を指示した場合、前記第２の放送受信処理に第１の受信態様を指示する第２の受信態様制御処理と、第２の受信態様から第１の受信態様に変更された時に前記第２の放送受信処理による受信出力の録画を開始する録画処理とをコンピュータで実行させることを特徴とする。
【発明の効果】
【００１９】
請求項１，８に記載の発明によれば、登録された番組データの中から放送日時が現時刻に一致した該当番組データを検索すると、視聴していた番組を“見たい番組”に切り換えると同時に、その視聴していた番組を自動的に録画するので、見たい番組が重なっていても裏番組の見逃しを防ぐことができる。
【００２０】
請求項２，９に記載の発明によれば、登録された番組データの中から放送日時が現時刻に一致した該当番組データを検索すると、視聴していた番組をそのまま継続して視聴させ、“見たい番組”を自動的に録画するので、見たい番組が重なっている時の裏番組の見逃しを防ぐことができる。
【００２１】
請求項３，１０に記載の発明によれば、登録された番組データの中から放送日時が現時刻に一致した該当番組データを検索した場合に、見たい番組に切換える旨を指示すると、視聴していた番組を“見たい番組”に切り換えると同時に、その視聴していた番組を自動的に録画し、一方、見たい番組に切換えない旨を指示すると、視聴していた番組をそのまま継続して視聴させ、“見たい番組”を自動的に録画するので、見たい番組が重なっている時の裏番組の見逃しを防ぐことができる。
【００２２】
請求項５，１２に記載の発明によれば、“見たい番組”の内容を表すキーワードを予め登録しておき、第１の放送受信手段（処理）側が受信中のチャンネルを除く他のチャンネルの文字放送を第２の放送受信手段（処理）で巡回受信させ、受信した文字放送から得た文字データがキーワードに一致すると、視聴していた番組が“見たい番組”に切り換わると同時に、その視聴していた番組を自動的に録画するので、見たい番組が重なっている時の裏番組の見逃しを防ぐことができる。
【００２３】
請求項６，１３に記載の発明によれば、“見たい番組”の内容を表すキーワードを予め登録しておき、第１の放送受信手段（処理）側が受信中のチャンネルを除く他のチャンネルの文字放送を第２の放送受信手段（処理）で巡回受信させ、受信した文字放送から得た文字データがキーワードに一致すると、視聴していた番組をそのまま継続して視聴させ、“見たい番組”を自動的に録画するので、見たい番組が重なっている時の裏番組の見逃しを防ぐことができる。
【００２４】
請求項７，１４に記載の発明によれば、“見たい番組”の内容を表すキーワードを予め登録しておき、第１の放送受信手段（処理）側が受信中のチャンネルを除く他のチャンネルの文字放送を第２の放送受信手段（処理）で巡回受信させ、受信した文字放送から得た文字データがキーワードに一致した場合に、見たい番組に切換える旨を指示すると、視聴していた番組を“見たい番組”に切り換えると同時に、その視聴していた番組を自動的に録画し、一方、見たい番組に切換えない旨を指示すると、視聴していた番組をそのまま継続して視聴させ、“見たい番組”を自動的に録画するので、見たい番組が重なっている時の裏番組の見逃しを防ぐことができる。
【発明を実施するための最良の形態】
【００２５】
以下、図面を参照して本発明の実施の形態について説明する。
Ａ．第１の実施形態
（１）構成
図１は本発明の実施の一形態である携帯電話１０の構成を示すブロック図である。携帯電話１０は、携帯電話部およびテレビ受信部に大別される。以下、携帯電話部およびテレビ受信部（以下、ＴＶ部と略記）の構成について説明する。
［携帯電話部の構成］
携帯電話部は、通信処理部１０１、制御部１０２、ＲＯＭ１０３、ＲＡＭ１０４、操作部１０５、マイク１０６、スピーカ１０７および表示部１０８から構成される。通信処理部１０１は、アンテナＡＮＴ１を介して受信復調した音声データを制御部１０２に出力する一方、制御部１０２から供給される音声データを変調して得た送信信号を高周波増幅してアンテナＡＮＴ１から送出する。制御部１０２は、ＣＰＵおよびベースバンド信号処理用のＤＳＰ等から構成され、後述する操作部１０５のスイッチ操作に応じて、携帯電話部およびＴＶ部の動作を制御する。
【００２６】
携帯電話部の機能を担う制御部１０２は、音声信号処理および通信制御処理を実行する。音声信号処理では、通信処理部１０１が発生する通話中の音声データを音声信号にＤ／Ａ変換してスピーカ１０７から発音させたり、マイク１０６から出力される音声信号を音声データにＡ／Ｄ変換して通信処理部１０１に供給する。通信制御処理の内容については、後述するメインルーチンの動作説明で述べる。ＲＯＭ１０３はプログラムエリアおよびデータエリアを備える。ＲＯＭ１０３のプログラムエリアには、制御部１０２により実行される音声信号処理、通信制御処理、後述するメインルーチンおよびタイマインタラプト処理の各プログラムが記憶される。ＲＯＭ１０３のデータエリアには、所定のプログラムにより参照される制御データの他、後述の待受画面、番組登録画面およびポップアップ画面など各種画面を形成する画面データが記憶される。
【００２７】
ＲＡＭ１０４は、制御部１０２が実行する各種処理に使われるフラグやレジスタデータを一時記憶するワークエリアの他、アドレス帳、着信履歴、発信履歴などを記憶する加入者情報エリア、見たい番組の放送日時、チャンネル番号および優先順位が登録される番組登録エリア、送受信メールおよび作成メールを記憶するメールエリアおよび待受画面などの各種表示画面を形成する表示エリア等を備える。操作部１０５は、パワーオンオフする電源スイッチ、通話開始／終了時に操作されるオフフック／オンフックスイッチ、ダイヤルスイッチと兼用の文字入力スイッチの他、カーソルスイッチ、決定スイッチ、クリアスイッチ等を備える。表示部１０８はカラー液晶パネルおよび表示ドライバから構成され、制御部１０２の制御の下に待受画面など各種画面を表示する。
【００２８】
［ＴＶ部の構成］
ＴＶ部は、テレビ１受信部２０１、テレビ２受信部２０２および録画再生部２０３の他、携帯電話部側と共用される制御部１０２、ＲＯＭ１０３、ＲＡＭ１０４、操作部１０５、スピーカ１０７および表示部１０８から構成される。テレビ１受信部２０１およびテレビ２受信部２０２は、アンテナＡＮＴ２を介して選局受信した放送信号をＯＦＤＭ復調して得たトランスポートストリーム信号から番組パケット（ＭＰＥＧデータ）を分離抽出し、その番組パケットを映像／音声データもしくは文字放送データに復号する。
【００２９】
録画再生部２０３は、制御部１０２の指示に応じて、テレビ１受信部２０１又はテレビ２受信部２０２のいずれかの受信出力（映像／音声データ）を自己内蔵の記憶媒体（例えば着脱自在なメモリ）に録画したり、記憶媒体に録画した映像／音声データを記憶媒体から読み出して再生する。ＴＶ部の機能を担う制御部１０２は、スイッチ操作に応じて、テレビ１受信部２０１、テレビ２受信部２０２および録画再生部２０３の入出力を制御する。ＴＶ部における操作部１０５には、ＴＶ部をオンオフするＴＶスイッチ、選局用のチャンネルスイッチ、録画再生部２０３に再生開始を指示する再生スイッチおよび番組登録スイッチ（後述する）等が設けられる。
【００３０】
（２）動作
次に、本発明の要旨に係わる動作として、制御部１０２が実行するメインルーチンおよびタイマインタラプト処理の各動作について図２〜図９を参照して説明する。
［メインルーチンの動作］
携帯電話１０の電源スイッチが操作されてパワーオンされると、制御部１０２は図２〜図５に図示するメインルーチンを実行する。メインルーチンが実行されると、図２に図示するステップＳＡ１に処理を進め、携帯電話１０の各部を初期化するイニシャライズを実行する。このイニシャライズでは、例えばチャンネルレジスタＣＨ（後述する）に所定の放送局を選局するためのチャンネル番号がストアされる。次いで、ステップＳＡ２では、ＲＯＭ１０３から読み出した待受画面データをＲＡＭ１０４の表示エリアにストアし、ストアされた待受画面データに基づき待受画面を表示部１０８に表示する。次に、ステップＳＡ３以降では、操作部１０５に配設されるオフフックスイッチ、オンフックスイッチ、ＴＶスイッチ、番組登録スイッチおよび再生スイッチのオン操作にそれぞれ対応した処理を実行する。以下、各スイッチ操作に対応した処理動作を説明する。
【００３１】
ａ．オフフックスイッチがオン操作された場合
ユーザが通話を開始すべくオフフックスイッチをオン操作したとする。そうすると、ステップＳＡ３の判断結果は「ＹＥＳ」となり、ステップＳＡ４に進む。ステップＳＡ４〜ＳＡ５では、表示部１０８に表示される画面を待受画面から番号入力画面に変更し、ダイヤルスイッチの操作に応じて入力された電話番号を番号入力画面に表示しつつレジスタセットする。続いて、ステップＳＡ６〜ＳＡ７では、レジスタセットされた電話番号に基づき発信および呼出報知を実行する。呼出報知に応じて着呼側がオフフックして回線が接続されると、ステップＳＡ８の判断結果が「ＹＥＳ」になり、ステップＳＡ９に進み、通話処理を実行する。以後、オンフックスイッチがオン操作されるまでステップＳＡ９の通話処理を継続する。
【００３２】
ｂ．オンフックスイッチがオン操作された場合
上記ステップＳＡ９の通話処理中にユーザがオンフックスイッチをオン操作したとする。そうすると、ステップＳＡ１０の判断結果が「ＹＥＳ」となり、ステップＳＡ１１に進み、回線を切る終話処理を実行した後、上述のステップＳＡ２に処理を戻して待受画面表示状態に復帰する。
【００３３】
ｃ．ＴＶスイッチがオン操作された場合
ユーザがＴＶスイッチをオン操作すると、図３に示すステップＳＡ１２の判断結果が「ＹＥＳ」になり、ステップＳＡ１３に進み、テレビ１受信部２０１をオン設定する。次いで、ステップＳＡ１４では、チャンネルレジスタＣＨにストアされるチャンネル番号をテレビ１受信部２０１に送付する。これにより、テレビ１受信部２０１は、チャンネルレジスタＣＨにストアされるチャンネル番号に対応した放送局を選局受信する。そして、ステップＳＡ１５では、テレビ１受信部２０１の受信出力（映像／音声データ）を表示部１０８およびスピーカ１０７に供給して番組視聴する。
【００３４】
続いて、ステップＳＡ１６に進むと、フラグＦ１が「１」であるか否かを判断する。フラグＦ１とは、ポップアップ画面ＰＵ（後述する）を表示部１０８に表示する場合に「１」、表示しない場合に「０」となるフラグである。フラグＦ１のフラグセットは、後述のタイマインタラプト処理にて行われる。ポップアップ画面ＰＵとは、図９に図示する一例のように、「切り換えますか？（ＹＥＳ／ＮＯ）」というメッセージを表示する画面である。
【００３５】
表示部１０８にポップアップ画面ＰＵが表示される場合、表示部１０８の表示画面下部に配設される操作ガイド表示領域Ａ３には、上記メッセージに対応させた機能対応キーが案内表示される。つまり、図９に図示するように、「ＹＥＳ」および「ＮＯ」と表示されている箇所に対応して配設される機能キースイッチがＹＥＳ対応スイッチ、ＮＯ対応スイッチに相当することを案内表示する。後述のタイマインタラプト処理では、このＹＥＳ対応スイッチまたはＮＯ対応スイッチのオン操作に対応したスイッチ処理を実行するようになっており、これについては追って述べる。
【００３６】
さて、フラグＦ１が「０」であると、ポップアップ画面ＰＵが表示されず、上記ステップＳＡ１６の判断結果は「ＮＯ」になり、ステップＳＡ１８に進む。一方、フラグＦ１が「１」にセットされていると、上記ステップＳＡ１６の判断結果は「ＹＥＳ」となり、ステップＳＡ１７に進む。ステップＳＡ１７では、ＲＯＭ１０３から読み出したポップアップ画面データをＲＡＭ１０４の表示エリアにストアし、ストアされたに基づきポップアップ画面ＰＵを表示部１０８に表示した後、ステップＳＡ１８に処理を進める。
【００３７】
ステップＳＡ１８では、チャンネル切替操作の有無を判断する。チャンネルスイッチ操作に応じてチャンネル切替が行われると、判断結果は「ＹＥＳ」になり、ステップＳＡ１９に進み、切り替えられたチャンネルのチャンネル番号をチャンネルレジスタＣＨにストアした後、上述のステップＳＡ１４に処理を戻す。これにより、切り替えられたチャンネルで番組視聴することになる。
一方、チャンネル切替操作が行わなければ、上記ステップＳＡ１８の判断結果は「ＮＯ」になり、ステップＳＡ２０に処理を進める。ステップＳＡ２０では、テレビ２受信部２０２側がオン設定されているか否かを判断する。ここで、テレビ２受信部２０２側がオフ設定されていれば、判断結果は「ＮＯ」になり、後述するステップＳＡ２２に進む。
【００３８】
これに対し、表示部１０８にポップアップ画面ＰＵが表示された状態で上述のＹＥＳ対応スイッチまたはＮＯ対応スイッチのオン操作に応じてテレビ２受信部２０２側がオン設定された場合には、上記ステップＳＡ２０の判断結果が「ＹＥＳ」になり、ステップＳＡ２１に進む。ステップＳＡ２１では、テレビ２受信部２０２の受信出力（映像／音声データ）を録画するよう録画再生部２０３に指示した後、上述したステップＳＡ１５に処理を戻す。
次に、ステップＳＡ２２では、ＴＶスイッチがオフ操作されたか否かを判断する。ＴＶスイッチがオフ操作された場合には、判断結果が「ＹＥＳ」になり、ステップＳＡ２３に進み、テレビ１受信部２０１およびテレビ２受信部２０２を共にオフ設定した後、前述のステップＳＡ２（図２参照）に処理を戻して待受画面表示状態に復帰する。一方、ＴＶスイッチがオフ操作されなければ、判断結果は「ＮＯ」になり、上述したステップＳＡ１５に処理を戻す。
【００３９】
ｄ．番組登録スイッチがオン操作された場合
ユーザが番組登録スイッチをオン操作すると、図４に示すステップＳＡ２４の判断結果が「ＹＥＳ」になり、ステップＳＡ２５に進む。ステップＳＡ２５では、ＲＯＭ１０３から読み出した番組登録画面データに基づき番組登録画面ＢＴを表示部１０８に表示する。
ここで、図８に図示する一例を参照して番組登録画面ＢＴの構成を説明する。番組登録画面ＢＴは、状態表示領域Ａ１、入力表示領域Ａ２および操作ガイド表示領域Ａ３から構成される。状態表示領域Ａ１には電波状態や電池残量などが状態表示される。入力表示領域Ａ２には、“見たい番組”の属性を登録する入力エリアＩＥ１〜ＩＥ３が配設される。入力エリアＩＥ１〜ＩＥ３には、それぞれ“見たい番組”がオンエアされる「日時」、「チャンネル番号」および「優先順位」が入力表示される。操作ガイド表示領域Ａ３は、機能対応キーを案内表示する。図９に図示する一例の場合、「クリア」および「決定」と表示されている箇所に対応して配設される機能キースイッチがクリアスイッチ、決定スイッチに相当することを案内表示している。
【００４０】
こうした番組登録画面ＢＴが表示部１０８に表示されると、制御部１０２は、ステップＳＡ２６に処理を進め、例えばデフォルトの入力項目である入力エリアＩＥ１等、いずれか一つの入力項目に入力カーソルを表示する。そして、ステップＳＡ２７〜ＳＡ３５では、番組登録画面ＢＴにおいて行われる番組登録操作（カーソルスイッチ操作、データ入力操作、決定スイッチ操作およびクリアスイッチ操作）に応じた処理を実行する。
【００４１】
すなわち、番組登録操作を取り止めるべくクリアスイッチをオン操作した場合には、ステップＳＡ３５の判断結果が「ＹＥＳ」になり、前述のステップＳＡ２（図３参照）に処理を戻して待受画面表示状態に復帰する。一方、入力項目（入力エリアＩＥ１〜ＩＥ３）を選択するためにカーソルスイッチをオン操作した場合には、ステップＳＡ２７の判断結果が「ＹＥＳ」になり、ステップＳＡ２８に進み、入力カーソルの位置を移動させる。そして、入力カーソルが所望の入力エリアに位置している状態でデータ入力すると、ステップＳＡ２９の判断結果が「ＹＥＳ」になり、ステップＳＡ３０に進む。ステップＳＡ３０では、上記入力エリアＩＥ１〜ＩＥ３のいずれにデータ入力されたかを判断する。
【００４２】
“見たい番組”のオンエア「日時」が入力エリアＩＥ１に入力された場合には、ステップＳＡ３１に進み、入力エリアＩＥ１に入力日時を表示する。「チャンネル番号」が入力エリアＩＥ２に入力された場合には、ステップＳＡ３２に進み、入力エリアＩＥ２に入力チャンネルを表示する。「優先順位」が入力エリアＩＥ３に入力された場合には、ステップＳＡ３３に進み、入力エリアＩＥ３に入力優先順位を表示する。そして、データ入力後に決定スイッチをオン操作すると、ステップＳＡ３４の判断結果が「ＹＥＳ」となり、ステップＳＡ３６に進む。ステップＳＡ３６では、番組登録画面ＢＴの入力エリアＩＥ１〜ＩＥ３の全てにデータ入力されたか否かを判断する。
【００４３】
未入力の入力エリアがあると、上記ステップＳＡ３６の判断結果は「ＮＯ」になり、ステップＳＡ３７に進み、未入力の入力エリアに入力カーソルを移動させた後、上記ステップＳＡ２７に処理を戻す。
一方、番組登録画面ＢＴの入力エリアＩＥ１〜ＩＥ３の全てにデータ入力されていれば、上記ステップＳＡ３６の判断結果が「ＹＥＳ」になり、ステップＳＡ３８に進み、入力データ（「日時」、「チャンネル番号」および「優先順位」）から構成される登録番組データをＲＡＭ１０４の番組登録エリアにストアした後、上述のステップＳＡ２６に処理を戻す。なお、本実施形態では、見たい番組がオンエアされる「日時」、「チャンネル番号」および「優先順位」をそれぞれ個別に入力エリアＩＥ１〜ＩＥ３に入力する態様としたが、これに替えて、例えば周知の電子番組表ＥＰＧを用いて見たい番組の「日時」および「チャンネル番号」を一括入力する態様としても構わない。
【００４４】
ｅ．再生スイッチがオン操作された場合
ユーザが再生スイッチをオン操作すると、図５に示すステップＳＡ４０の判断結果が「ＹＥＳ」になり、ステップＳＡ４１に進む。ステップＳＡ４１では、録音再生部２０３に録画データが有るか否かを判断する。録音再生部２０３に録画データが無ければ、判断結果は「ＮＯ」になり、前述のステップＳＡ３（図２参照）に処理を戻す。
一方、録音再生部２０３に録画データが有れば、上記ステップＳＡ４１の判断結果は「ＹＥＳ」となり、ステップＳＡ４２に進み、録画データの再生開始を録画再生部２０３に指示する。続いて、ステップＳＡ４３では、再生指示に応じて録画再生部２０３が再生する録画データ（映像／音声データ）を表示部１０８に表示すると共に、スピーカ１０７から出力させる。以後、停止スイッチがオン操作されるまで、ステップＳＡ４３〜ＳＡ４４を繰り返して録画データの再生を継続させる。そして、停止スイッチがオン操作されると、ステップＳＡ４４の判断結果が「ＹＥＳ」となり、ステップＳＡ４５に進み、録画再生部２０３に再生停止を指示した後、前述のステップＳＡ２（図２参照）に処理を戻して待受画面表示状態に復帰する。
【００４５】
［タイマインタラプト処理の動作］
次に、図６を参照してタイマインタラプト処理の動作を説明する。制御部１０２は、前述したメインルーチンを実行中に、所定周期毎に本処理を割込み実行する。本処理が割込み実行されると、制御部１０２は図６に図示するステップＳＢ１に処理を進め、現時刻を取得する。次いで、ステップＳＢ２では、テレビ１受信部２０１がオン設定されているか否かを判断する。テレビ１受信部２０１がオフ設定されていれば、判断結果は「ＮＯ」になり、本処理を完了させてメインルーチンに復帰する。
一方、テレビ１受信部２０１がオン設定されていると、判断結果は「ＹＥＳ」になり、ステップＳＢ３に進む。ステップＳＢ３では、フラグＦ１が「１」であるか否か、すなわち番組登録画面ＢＴ（図８参照）にて登録した“見たい番組”のオンエア時刻になり、その“見たい番組”に切り換えるか否かを選択するポップアップ画面ＰＵ（図９参照）が表示部１０８に表示されたかどうかを判断する。以下、ポップアップ画面ＰＵが表示されていない場合と、表示された場合とに分けて動作を説明する。
【００４６】
ａ．ポップアップ画面ＰＵが表示されていない場合
この場合には、ステップＳＢ３の判断結果が「ＮＯ」になり、図７に図示するステップＳＢ４に進む。ステップＳＢ４では、ＲＡＭ１０４の番組登録エリアに登録された登録番組データの内、上記ステップＳＢ１にて取得した現時刻に一致する「日時」の登録番組データを検索する。以下、現時刻に一致する「日時」の登録番組データを「該当番組データ」と記す。次いで、ステップＳＢ５では、このデータ検索結果に基づき、該当番組データが有るか否か、つまり現時刻が“見たい番組”のオンエア時刻であるかどうかを判断する。該当番組データが無く、現時刻が“見たい番組”のオンエア時刻でない場合には、判断結果は「ＮＯ」になり、本処理を完了させてメインルーチンに復帰する。
【００４７】
一方、該当番組データが有り、現時刻が“見たい番組”のオンエア時刻である場合には、上記ステップＳＢ５の判断結果は「ＹＥＳ」になり、ステップＳＢ６に進み、該当番組データが複数有るかどうかを判断する。複数存在しなければ、判断結果は「ＮＯ」になり、後述のステップＳＢ８に処理を進める。これに対し、該当番組データが複数存在する場合には、上記ステップＳＢ６の判断結果が「ＹＥＳ」になり、ステップＳＢ７に進み、これら複数の該当番組データの内、最も優先順位の高い該当番組データを選択する。以後、このステップＳＢ７にて選択された該当番組データ、もしくは上記ステップＳＢ５において唯一存在する該当番組データを選択登録番組データと称す。
【００４８】
続いて、ステップＳＢ８では、選択登録番組データに含まれる「チャンネル番号」と、テレビ１受信部２０１にセットされているチャンネル番号（チャンネルレジスタＣＨの内容）とが不一致であるか否かを判断する。選択登録番組データの「チャンネル番号」と、テレビ１受信部２０１のチャンネル番号とが一致している場合には、視聴するチャンネルを切り換える必要が無い為、ここでの判断結果は「ＮＯ」になり、本処理を完了させてメインルーチンに復帰する。
一方、選択登録番組データの「チャンネル番号」と、テレビ１受信部２０１のチャンネル番号とが不一致ならば、判断結果は「ＹＥＳ」になり、ステップＳＢ９に進み、ＲＯＭ１０３から読み出したポップアップ画面データに基づき、図９に図示する一例のように、ポップアップ画面ＰＵを表示部１０８に表示する。そして、ステップＳＢ１０では、ポップアップ画面ＰＵの表示に対応してフラグＦ１に「１」をセットした後、本処理を完了させてメインルーチンに復帰する。
【００４９】
ｂ．ポップアップ画面ＰＵが表示された場合
以上のようにして表示部１０８にポップアップ画面ＰＵが表示された後に、本タイマインタラプト処理が再び実行されてステップＳＢ３（図６参照）に処理を進めると、フラグＦ１に「１」がセットされている為、当該ステップＳＢ３の判断結果は「ＹＥＳ」になり、ステップＳＢ１１以降に処理を進める。表示部１０８にポップアップ画面ＰＵが表示された場合には、図９に図示したように、表示部１０８の表示画面下部に配設される操作ガイド表示領域Ａ３に「ＹＥＳ対応スイッチ」および「ＮＯ対応スイッチ」が案内表示される。ステップＳＢ１１以降では、この「ＹＥＳ対応スイッチ」または「ＮＯ対応スイッチ」のオン操作にそれぞれ対応した内容のスイッチ処理を実行する。以下、ＹＥＳ対応スイッチがオン操作された場合と、ＮＯ対応スイッチがオン操作された場合とに分けて各動作を説明する。
【００５０】
＜ＹＥＳ対応スイッチがオン操作された場合＞
ＹＥＳ対応スイッチがオン操作されると、ステップＳＢ１１の判断結果が「ＹＥＳ」になり、ステップＳＢ１２に進み、テレビ２受信部２０２をオン設定する。次いで、ステップＳＢ１３では、チャンネルレジスタＣＨに格納されるチャンネル番号をテレビ２受信部２０２に送付し、続くステップＳＢ１４では、選択登録番組データの「チャンネル番号」をチャンネルレジスタＣＨにストアする。そして、ステップＳＢ１５では、チャンネルレジスタＣＨにストアされた選択登録番組データの「チャンネル番号」をテレビ１受信部２０１に送付する。この後、ステップＳＢ１６に進み、フラグＦ１をゼロリセットする。次いで、ステップＳＢ１７では、表示部１０８に表示されているポップアップ画面ＰＵを消去して本処理を完了させる。
【００５１】
このように、ＹＥＳ対応スイッチをオン操作した場合には、テレビ１受信部２０１側でそれまで視聴していた番組が“見たい番組”に切り換わると共に、テレビ１受信部２０１側が視聴していた番組をテレビ２受信部２０２側で受信させる。なお、前述したメインルーチンのステップＳＡ２０〜ＳＡ２１（図３参照）において説明した通り、テレビ２受信部２０２がオン設定されると、テレビ２受信部２０２の受信出力を録画するよう録画再生部２０３に指示するようになっている。
したがって、例えば野球中継番組を視聴している時に、“見たい番組”に切り換えるかどうかをユーザに尋ねるポップアップ画面ＰＵが表示され、これに応じてＹＥＳ対応スイッチをオン操作した場合には、視聴していた野球中継番組が“見たい番組”に切り換わると同時に、その視聴していた野球中継番組が自動的に録画されるようになる。
【００５２】
＜ＮＯ対応スイッチがオン操作された場合＞
ＮＯ対応スイッチがオン操作されると、ステップＳＢ１８の判断結果が「ＹＥＳ」となり、ステップＳＢ１９に進み、テレビ２受信部２０２をオン設定する。次いで、ステップＳＢ２０では、選択登録番組データの「チャンネル番号」をテレビ２受信部２０２に送付する。この後、ステップＳＢ１６に進み、フラグＦ１をゼロリセットし、続くステップＳＢ１７では、表示部１０８に表示されているポップアップ画面ＰＵを消去して本処理を完了させる。
【００５３】
このように、ＮＯ対応スイッチをオン操作した場合には、テレビ２受信部２０２側で”見たい番組”を受信させる。なお、前述したメインルーチンのステップＳＡ２０〜ＳＡ２１（図３参照）において説明した通り、テレビ２受信部２０２をオン設定すると、そのテレビ２受信部２０２の受信出力を録画するよう録画再生部２０３に指示するようになっている。したがって、例えば野球中継番組を視聴している時に、“見たい番組”に切り換えるかどうかをユーザに尋ねるポップアップ画面ＰＵが表示され、これに応じてＮＯ対応スイッチをオン操作すると、視聴していた野球中継番組をそのまま継続して視聴させ、“見たい番組”が自動的に録画されるようになる。
【００５４】
以上のように、第１の実施形態では、“見たい番組”の「日時」、「チャンネル番号」および「優先順位」から構成される登録番組データを予め登録しておき、現時刻に一致する「日時」の該当番組データ（複数存在する場合は最も優先順位の高い該当番組データ）が検索されると、“見たい番組”に切り換えるかどうかをユーザに尋ねるポップアップ画面ＰＵを表示し、これに応じてＹＥＳ対応スイッチをオン操作すると、視聴していた番組を“見たい番組”に切り換えると同時に、その視聴していた番組を自動的に録画する。一方、ＮＯ対応スイッチをオン操作すると、視聴していた番組をそのまま継続して視聴させ、“見たい番組”を自動的に録画する。この結果、見たい番組が重なっている時の裏番組の見逃しを防ぐことが可能になる。
【００５５】
なお、上述した第１の実施形態では、２系統のテレビ１受信部２０１およびテレビ２受信部２０２を備え、見たいテレビ番組が重なっている時の裏番組の見逃しを防ぐようにしたが、テレビ２受信部２０２に替えてラジオ受信部を設け、例えばラジオ受信部で野球中継番組を聴いている時に、見たいテレビ番組のオンエア時刻になった場合、ポップアップ画面ＰＵの表示に応じてＹＥＳ対応スイッチをオン操作すると、聴いてた野球中継番組が“見たいテレビ番組”に切り換わると同時に、野球中継番組を自動的に録音したり、あるいはＮＯ対応スイッチをオン操作すると、聴いてた野球中継番組をそのまま継続して聴取させ、“見たいテレビ番組”を自動的に録画したりすることができ、このような形態であっても裏番組の見逃しや聞き逃しを防ぐことが出来る。
【００５６】
Ｂ．第２の実施形態
次に、第２の実施形態について説明する。第２の実施形態の構成は、前述した第１の実施形態と共通するので、その説明については省略する。以下では、前述した第１の実施形態と相違する、第２の実施形態によるメインルーチン、タイマインタラプト（１）処理およびタイマインタラプト（２）処理の各動作について図１０〜図１５を参照して説明して行く。
【００５７】
［メインルーチンの動作］
第２の実施形態によるメインルーチンは、ＴＶスイッチがオン操作された場合の処理と、キーワード登録スイッチがオン操作された場合の処理とが前述した第１の実施形態のメインルーチンと相違し、それ以外については前述した第１の実施形態によるメインルーチンと同一である。したがって、ここではＴＶスイッチがオン操作された場合の動作と、キーワード登録スイッチがオン操作された場合の動作とを説明する。
【００５８】
ａ．ＴＶスイッチがオン操作された場合
ユーザがＴＶスイッチをオン操作すると、図１０に図示するステップＳＡ１００の判断結果が「ＹＥＳ」になり、ステップＳＡ１０１に進み、テレビ１受信部２０１およびテレビ２受信部２０２を共にオン設定する。次いで、ステップＳＡ１０２では、チャンネルレジスタＣＨにストアされるチャンネル番号をテレビ１受信部２０１に送付する。続いて、ステップＳＡ１０３では、チャンネルレジスタＣＨのチャンネル番号以外のチャンネル番号をテレビ２受信部２０２に送付する。これにより、テレビ２受信部２０２は、テレビ１受信部２０１とは異なる放送局を受信する。
【００５９】
そして、ステップＳＡ１０４に進むと、制御部１０２は、テレビ１受信部２０１の受信出力（映像／音声データ）を表示部１０８およびスピーカ１０７に供給する。ステップＳＡ１０５では、フラグＦ１が「１」であるか否かを判断する。なお、フラグＦ１とは、前述した第１の実施形態と同様、ポップアップ画面ＰＵ（図９参照）を表示部１０８に表示するか否かを指示するフラグである。ここで、フラグＦ１が「０」であると、判断結果は「ＮＯ」になり、ステップＳＡ１０７に進む。一方、フラグＦ１が「１」にセットされていると、判断結果が「ＹＥＳ」となり、ステップＳＡ１０６に進む。
【００６０】
ステップＳＡ１０６では、ＲＯＭ１０３から読み出したポップアップ画面データに基づきポップアップ画面ＰＵを表示部１０８に表示した後、ステップＳＡ１０７に処理を進める。ステップＳＡ１０７では、チャンネル切替操作の有無を判断する。チャンネルスイッチ操作に応じてチャンネル切替が行われると、判断結果は「ＹＥＳ」になり、ステップＳＡ１０８に進み、切り替えられたチャンネル番号をチャンネルレジスタＣＨにストアした後、上述のステップＳＡ１０２に処理を戻す。これにより、テレビ１受信部２０１は、切り替えられたチャンネルで放送受信する。
【００６１】
一方、チャンネル切替操作が行わなければ、上記ステップＳＡ１０７の判断結果は「ＮＯ」になり、ステップＳＡ１０９に処理を進める。ステップＳＡ１０９では、フラグＲＦが「１」であるか否かを判断する。フラグＲＦとは、テレビ２受信部２０２の受信状態を表すフラグであり、指定されたチャンネル番号で番組受信する状態の時に「１」、文字放送を受信する状態の時に「０」となる。したがって、このステップＳＡ１０９では、テレビ２受信部２０２が指定されたチャンネル番号で番組受信する状態であるかどうかを判断する。ここで、テレビ２受信部２０２が文字放送を受信する状態であれば、判断結果は「ＮＯ」になり、後述するステップＳＡ１１１に進む。
【００６２】
これに対し、テレビ２受信部２０２が指定されたチャンネル番号で番組を受信する状態であると、上記ステップＳＡ１０９の判断結果が「ＹＥＳ」になり、ステップＳＡ１１０に進み、テレビ２受信部２０２の受信出力（映像／音声データ）を録画するよう録画再生部２０３に指示した後、上述したステップＳＡ１０４に処理を戻す。
次に、ステップＳＡ１１１では、ＴＶスイッチがオフ操作されたか否かを判断する。ＴＶスイッチがオフ操作された場合には、判断結果が「ＹＥＳ」になり、ステップＳＡ１１２に進み、フラグＲＦをゼロリセットする。続いて、ステップＳＡ１１３では、テレビ１受信部２０１およびテレビ２受信部２０２を共にオフ設定した後、前述した第１の実施形態と同様、ステップＳＡ２（図２参照）に処理を戻して待受画面表示状態に復帰する。一方、ＴＶスイッチがオフ操作されなければ、判断結果は「ＮＯ」になり、上述したステップＳＡ１０４に処理を戻す。
【００６３】
ｂ．キーワード登録スイッチがオン操作された場合
ユーザがキーワード登録スイッチをオン操作すると、図１１に図示するステップＳＡ２００の判断結果が「ＹＥＳ」になり、ステップＳＡ２０１に進み、ＲＯＭ１０３から読み出したキーワード登録画面データに基づきキーワード登録画面ＫＴを作成して表示部１０８に表示する。
ここで、図１５に図示する一例を参照してキーワード登録画面ＫＴの構成を説明する。キーワード登録画面ＫＴは、状態表示領域Ａ１、入力表示領域Ａ２および操作ガイド表示領域Ａ３から構成される。状態表示領域Ａ１には電波状態や電池残量などが状態表示される。入力表示領域Ａ２には、キーワードを入力する入力エリアＩＥが配設される。入力エリアＩＥ１には、“見たい番組”の内容を表すキーワードが入力表示される。入力されるキーワードは、単一の単語であっても良いし、あるいは複数の単語を論理演算式（論理積、論理和）で表現する形式としても構わない。操作ガイド表示領域Ａ３は、機能対応キーを案内表示する。図１５に図示する一例の場合、「クリア」および「決定」と表示されている箇所に対応して配設される機能キースイッチがクリアスイッチ、決定スイッチに相当することを案内表示している。
【００６４】
こうしたキーワード登録画面ＫＴが表示部１０８に表示されると、制御部１０２は、ステップＳＡ２０２に処理を進め、キーワード登録画面ＫＴの入力エリアＩＥに入力カーソルを表示する。そして、ステップＳＡ２０３〜ＳＡ２０６では、キーワード登録画面ＫＴにおいて行われるキーワード登録操作（データ入力操作、決定スイッチ操作およびクリアスイッチ操作）に応じた処理を実行する。
すなわち、キーワード登録操作を取り止めるべくクリアスイッチをオン操作した場合には、ステップＳＡ２０６の判断結果が「ＹＥＳ」になり、前述したステップＳＡ２（図３参照）に処理を戻して待受画面表示状態に復帰する。
【００６５】
一方、キーワード登録画面ＫＴの入力エリアＩＥにキーワードを入力すると、ステップＳＡ２０３の判断結果が「ＹＥＳ」になり、ステップＳＡ２０４に進み、入力されたキーワードを表示する。そして、キーワード入力後に決定スイッチをオン操作すると、ステップＳＡ２０５の判断結果が「ＹＥＳ」となり、ステップＳＡ２０７に進む。ステップＳＡ２０７では、キーワード登録画面ＫＴの入力エリアＩＥにデータ（キーワード）が入力されているか否かを判断する。未入力の場合には、判断結果が「ＮＯ」になり、前述したステップＳＡ２（図３参照）に処理を戻して待受画面表示状態に復帰させるが、入力済みであれば、判断結果は「ＹＥＳ」になり、ステップＳＡ２０８に進み、入力されたデータをキーワードとしてＲＡＭ１０４のキーワード登録エリアにストアした後、前述したステップＳＡ２（図３参照）に処理を戻して待受画面表示状態に復帰する。
【００６６】
［タイマインタラプト（１）処理の動作］
次に、図１２を参照してタイマインタラプト（１）処理の動作を説明する。第２の実施形態では、上記メインルーチンを実行中に、一定周期毎に本処理を割込み実行する。本処理が割込み実行されると、制御部１０２は図１２に図示するステップＳＣ１に処理を進め、フラグＲＦが「０」、すなわちテレビ２受信部２０２が文字放送を受信する状態であるか否かを判断する。ここで、テレビ２受信部２０２が指定されたチャンネル番号で番組受信する状態、つまりフラグＲＦが「１」の場合には、判断結果が「ＮＯ」となり、本処理を完了させる。
【００６７】
一方、テレビ２受信部２０２が文字放送を受信する状態であると、判断結果は「ＹＥＳ」となり、ステップＳＣ２に進み、テレビ２受信部２０２に供給するチャンネル番号を変更してから本処理を完了させてメインルーチンに復帰する。なお、テレビ２受信部２０２に供給されるチャンネル番号は、チャンネルレジスタＣＨにストアされるチャンネル番号以外のもの、すなわちテレビ１受信部２０１側が受信中のチャンネル以外となる。
【００６８】
このように、タイマインタラプト（１）処理では、テレビ２受信部２０２が文字放送を受信する状態下にあると、テレビ１受信部２０１側が受信中のチャンネル以外のチャンネル番号を一定周期毎に変更してテレビ２受信部２０２に供給する。これにより、テレビ２受信部２０２は、テレビ１受信部２０１側が受信している局以外の、他の放送局の文字放送を巡回受信する。
【００６９】
［タイマインタラプト（２）処理の動作］
次に、図１３〜図１４を参照してタイマインタラプト（２）処理の動作を説明する。制御部１０２は、前述したメインルーチンを実行中に、所定周期毎に本処理を割込み実行する。本処理が割込み実行されると、制御部１０２は図１３に図示するステップＳＤ１に処理を進め、ＴＶスイッチのオン操作の有無を判断する。ＴＶスイッチがオン操作されなければ、判断結果は「ＮＯ」になり、本処理を完了させてメインルーチンに復帰する。
一方、ＴＶスイッチがオン操作されると、判断結果は「ＹＥＳ」になり、ステップＳＤ２に進む。ステップＳＤ２では、フラグＦ１が「１」であるか否か、ポップアップ画面ＰＵ（図９参照）が表示部１０８に表示されたかどうかを判断する。以下、ポップアップ画面ＰＵが表示されていない場合と、表示された場合とに分けて動作を説明する。
【００７０】
ａ．ポップアップ画面ＰＵが表示されていない場合
この場合には、ステップＳＤ２の判断結果が「ＮＯ」になり、図１４に図示するステップＳＤ３に進む。ステップＳＤ３では、上述したタイマインタラプト（１）処理（図１２参照）に基づきテレビ２受信部２０２が巡回受信する文字放送から得た文字データが、ＲＡＭ１０４のキーワード登録エリアに登録されたキーワードに一致するか否かを判断する。文字放送から得た文字データと一致するキーワードがＲＡＭ１０４のキーワード登録エリアに登録されていない場合には、判断結果が「ＮＯ」になり、本処理を完了させてメインルーチンに復帰する。
【００７１】
一方、文字放送から得た文字データと一致するキーワードが登録されている場合、すなわち文字放送から得た文字データが“見たい番組”の内容を表すキーワードに一致すると、上記ステップＳＤ３の判断結果が「ＹＥＳ」になり、ステップＳＤ４に進み、ＲＯＭ１０３から読み出したポップアップ画面データに基づき、図９に図示する一例のように、ポップアップ画面ＰＵを表示部１０８に表示する。そして、ステップＳＤ５では、ポップアップ画面ＰＵの表示に対応してフラグＦ１に「１」をセットした後、本処理を完了させてメインルーチンに復帰する。
【００７２】
ｂ．ポップアップ画面ＰＵが表示された場合
以上のようにして表示部１０８にポップアップ画面ＰＵが表示された後に、本タイマインタラプト処理を再び実行してステップＳＤ２に処理が進むと、当該ステップＳＤ２の判断結果は「ＹＥＳ」になり、ステップＳＤ６以降に処理を進める。
表示部１０８にポップアップ画面ＰＵが表示された場合には、第１の実施形態と同様、図９に図示したように、表示部１０８の表示画面下部に配設される操作ガイド表示領域Ａ３に「ＹＥＳ対応スイッチ」および「ＮＯ対応スイッチ」が案内表示される。ステップＳＤ６以降では、この「ＹＥＳ対応スイッチ」または「ＮＯ対応スイッチ」のオン操作にそれぞれ対応した内容のスイッチ処理を実行する。以下、ＹＥＳ対応スイッチがオン操作された場合と、ＮＯ対応スイッチがオン操作された場合とに分けて各動作を説明する。
【００７３】
＜ＹＥＳ対応スイッチがオン操作された場合＞
ＹＥＳ対応スイッチがオン操作されると、ステップＳＤ６の判断結果が「ＹＥＳ」になり、ステップＳＤ７に進み、チャンネルレジスタＣＨに格納されるチャンネル番号をテレビ２受信部２０２に送付する。これにより、テレビ２受信部２０２は、文字放送を受信する状態から指定されたチャンネル番号で番組を受信する状態に遷移する。続いて、ステップＳＤ８では、テレビ２受信部２０２の今までのチャンネル番号、すなわちテレビ２受信部２０２が“見たい番組”の内容を表すキーワードに一致した文字データを受信した時のチャンネル番号をチャンネルレジスタＣＨにストアする。そして、ステップＳＤ９では、チャンネルレジスタＣＨにストアされたチャンネル番号をテレビ１受信部２０１に送付する。
【００７４】
次いで、ステップＳＤ１０では、フラグＦ１をゼロリセットし、続くステップＳＤ１１では、テレビ２受信部２０２が指定されたチャンネル番号で番組を受信する状態に遷移したのに対応させてフラグＲＦに「１」をセットする。この後、ステップＳＤ１２に進み、表示部１０８に表示されているポップアップ画面ＰＵを消去して本処理を完了させる。
【００７５】
このように、ＹＥＳ対応スイッチをオン操作した場合には、テレビ１受信部２０１側で視聴していた番組が、“見たい番組”の内容を表すキーワードを含む番組に切り換わると共に、それまでテレビ１受信部２０１側で視聴していた番組をテレビ２受信部２０２側で受信させる。この場合、上述したメインルーチンのステップＳＡ１０９〜ＳＡ１１０（図１０参照）において説明した通り、テレビ２受信部２０２が指定されたチャンネル番号で番組を受信する状態に遷移した時、つまりテレビ１受信部２０１側で視聴していた番組を受信するようになると、そのテレビ２受信部２０２の受信出力を録画するよう録画再生部２０３に指示する。
【００７６】
したがって、例えば“見たい番組”の内容を表すキーワードとして「天気予報」を登録しておき、テレビ１受信部２０１で野球中継番組を視聴中に、テレビ２受信部２０２が受信した文字放送にキーワードと一致する文字データ「天気予報」が含まれた場合、“見たい番組”に切り換えるかどうかを尋ねるポップアップ画面ＰＵの表示に応じてＹＥＳ対応スイッチをオン操作すると、視聴していた野球中継番組から「天気予報」番組に切り換わると同時に、視聴していた野球中継番組が自動的に録画されるようになる。
【００７７】
＜ＮＯ対応スイッチがオン操作された場合＞
ＮＯ対応スイッチがオン操作されると、ステップＳＤ１３の判断結果が「ＹＥＳ」となり、ステップＳＤ１０に進み、フラグＦ１をゼロリセットし、続くステップＳＤ１１では、テレビ２受信部２０２が指定されたチャンネル番号の番組を受信する状態に遷移したのに応じて、フラグＲＦに「１」をセットする。この後、ステップＳＤ１２に進み、表示部１０８に表示されているポップアップ画面ＰＵを消去して本処理を完了させる。
【００７８】
このように、ＮＯ対応スイッチをオン操作した場合には、テレビ２受信部２０２側で“見たい番組”の内容を表すキーワードを含む番組を受信させる。この場合、上述したメインルーチンのステップＳＡ１０９〜ＳＡ１１０（図１０参照）において説明した通り、テレビ１受信部２０１側で視聴していた番組をテレビ２受信部２０２側で受信させると、そのテレビ２受信部２０２の受信出力を録画するよう録画再生部２０３に指示する。
したがって、例えば“見たい番組”の内容を表すキーワードとして「天気予報」を登録しておき、テレビ１受信部２０１で野球中継番組を視聴中に、テレビ２受信部２０２が受信した文字放送にキーワードと一致する文字データ「天気予報」が含まれた場合、“見たい番組”に切り換えるかどうかを尋ねるポップアップ画面ＰＵの表示に応じてＮＯ対応スイッチをオン操作すると、視聴していた野球中継番組をそのまま継続して視聴させ、「天気予報」番組が自動的に録画される。
【００７９】
以上のように、第２の実施形態では、“見たい番組”の内容を表すキーワードを予め登録しておき、テレビ１受信部２０１側が受信中のチャンネルを除く他のチャンネルの文字放送をテレビ２受信部２０２で巡回受信させ、受信した文字放送から得た文字データがキーワードに一致すると、“見たい番組”に切り換えるかどうかを尋ねるポップアップ画面ＰＵが表示され、これに応じてＹＥＳ対応スイッチをオン操作すると、視聴していた番組が“見たい番組”に切り換わると同時に、その視聴していた番組が自動的に録画され、一方、ＮＯ対応スイッチをオン操作すると、視聴していた番組をそのまま継続して視聴させ、“見たい番組”が自動的に録画されるので、見たい番組が重なっている時の裏番組の見逃しを防ぐことが可能になる。
【００８０】
なお、上述した第２の実施形態では、２系統のテレビ１受信部２０１およびテレビ２受信部２０２を備え、見たいテレビ番組が重なっている時の裏番組の見逃しを防ぐようにしたが、テレビ２受信部２０２に替えてラジオ受信部を設けるようにしても構わない。この場合、例えば“聴きたいラジオ番組”の内容を表すキーワードとして「天気予報」を登録しておき、テレビ１受信部２０１で野球中継番組を視聴中に、ラジオ受信部が受信した文字放送にキーワードと同じ「天気予報」があると、“聴きたい番組”に切り換えるかどうかを尋ねるポップアップ画面ＰＵが表示され、これに応じてＹＥＳ対応スイッチをオン操作した場合には、視聴していた野球中継番組から“聴きたいラジオ番組”に切り換わり、視聴していた野球中継番組を自動的に録画し、一方、ＮＯ対応スイッチをオン操作した場合には、視聴していた野球中継番組をそのまま継続して視聴させ、“聴きたいラジオ番組”を自動的に録画するので、裏番組の見逃しや聞き逃しを防ぐことができる。
【図面の簡単な説明】
【００８１】
【図１】本発明の第１の実施形態による携帯電話１０の全体構成を示すブロック図である。
【図２】第１の実施形態のメインルーチンの動作を示すフローチャートである。
【図３】第１の実施形態のメインルーチンの動作を示すフローチャートである。
【図４】第１の実施形態のメインルーチンの動作を示すフローチャートである。
【図５】第１の実施形態のメインルーチンの動作を示すフローチャートである。
【図６】第１の実施形態のタイマインタラプト処理の動作を示すフローチャートである。
【図７】第１の実施形態のタイマインタラプト処理の動作を示すフローチャートである。
【図８】番組登録画面ＢＴの一構成例を示す図である。
【図９】ポップアップ画面ＵＰの一構成例を示す図である。
【図１０】第２の実施形態のメインルーチンの動作を示すフローチャートである。
【図１１】第２の実施形態のメインルーチンの動作を示すフローチャートである。
【図１２】第２の実施形態によるタイマインタラプト（１）処理の動作を示すフローチャートである。
【図１３】第２の実施形態によるタイマインタラプト（２）処理の動作を示すフローチャートである。
【図１４】第２の実施形態によるタイマインタラプト（２）処理の動作を示すフローチャートである。
【図１５】キーワード登録画面ＫＴの一構成例を示す図である。
【符号の説明】
【００８２】
１０  携帯電話
１０１  通信処理部
１０２  制御部
１０３  ＲＯＭ
１０４  ＲＡＭ
１０５  操作部
１０６  マイク
１０７  スピーカ
１０８  表示部
２０１  テレビ１受信部
２０２  テレビ２受信部
２０３  録画再生部
【図１】
2005311935.tif 000003
【図２】
2005311935.tif 000004
【図３】
2005311935.tif 000005
【図４】
2005311935.tif 000006
【図５】
2005311935.tif 000007
【図６】
2005311935.tif 000008
【図７】
2005311935.tif 000009
【図８】
2005311935.tif 000010
【図９】
2005311935.tif 000011
【図１０】
2005311935.tif 000012
【図１１】
2005311935.tif 000013
【図１２】
2005311935.tif 000014
【図１３】
2005311935.tif 000015
【図１４】
2005311935.tif 000016
【図１５】
2005311935.tif 000017